(57)【要約】【課題】  すじが発生した位置をユーザの判断で短時間に確定させることができる画像処理装置を提供する。【解決手段】  画像処理装置２０は、画像が入力されると、色空間変換処理、補正処理等を施す。画像処理装置２０の格子合成部２０６は、補正処理後の画像に所定の格子パターンを合成する。合成後の画像は、像形成制御装置２１の制御により、記録用紙上に形成される。ユーザは、記録用紙上に形成された画像を確認し、すじが発生している場合には、すじの位置を認識し、ＵＩ装置２２を介してすじ位置を指定する。画像処理装置２０は、指定されたすじ位置を受け付けたか否かを判定し、受け付けた場合には、すじ位置においてすじ補正処理を施して、像形成制御装置２１に対して出力する。【選択図】  図６
2007028396.tif 000002
【特許請求の範囲】
【請求項１】
すじ位置を特定するための可視データが付された出力画像に基づいてすじ位置を指定する指定手段と、
前記すじ指定手段により指定されたすじ位置においてすじ補正を行うすじ補正手段と
を有する画像処理装置。
【請求項２】
前記指定手段は、すじ位置を受け付けてすじ位置を指定する
請求項１に記載の画像処理装置。
【請求項３】
前記指定手段は、出力画像を読み取ってすじ位置を指定する
請求項１に記載の画像処理装置。
【請求項４】
前記指定手段は、読み取られた画像において所定のパターンに基づいてすじ位置を解析する
請求項３に記載の画像処理装置。
【請求項５】
前記可視データは、格子パターンである
請求項１に記載の画像処理装置。
【請求項６】
前記可視データは、格子パターンを識別する識別子を含む
請求項５に記載の画像処理装置。
【請求項７】
前記可視データは、色分けされた格子パターンである
請求項５又は６に記載の画像処理装置。
【請求項８】
すじ位置を特定するための可視データが付された出力画像を表示する表示手段をさらに有する１乃至７のいずれかに記載の画像処理装置。
【請求項９】
すじ位置を特定するための可視データが付された出力画像に基づいてすじ位置を指定し、
前記指定されたすじ位置においてすじ補正を行う
画像処理方法。
【請求項１０】
コンピュータを含む画像処理装置において、
すじ位置を特定するための可視データが付された出力画像に基づいてすじ位置を指定する指定ステップと、
前記指定されたすじ位置においてすじ補正を行うすじ補正ステップと
を前記画像処理装置のコンピュータに実行させるプログラム。
【発明の詳細な説明】
【技術分野】
【０００１】
本発明は、画像上のすじを補正する画像処理装置及び画像処理方法に関する。
【背景技術】
【０００２】
プリンタ、複合機等により形成された画像には、画像欠陥であるすじが発生する場合がある。
特許文献１には、スキャナ、複合機等に適用され、ステージガラス等に付着した不純物による黒すじを検出する機能を有する画像読取装置が開示されている。この画像読取装置は、各走査ライン上で黒すじの候補となる位置を算出し、各走査ラインにおける黒すじの候補となる位置が一定のライン数以上にわたって特定の位置関係にある場合に黒すじが発生したと判断して黒すじを検出する。
【０００３】
また、特許文献２には、原稿のカラー画情報を読み取る第一読取手段と、原稿のモノクロ画情報を読み取る第二読み取り手段とを有し、第一読取手段により読み取られたカラー画情報からモノクロ画情報を取得し、原稿の同一読取位置におけるこの取得したモノクロ画情報の値と第二読取手段により読み取られたモノクロ画情報の値とを比較してノイズを検出する画像読取装置が開示されている。
【０００４】
【特許文献１】特開２００１−１５７０４６号公報
【特許文献２】特開２００１−２３８０５３号公報
【発明の開示】
【発明が解決しようとする課題】
【０００５】
しかしながら、これらの技術では、画像全体の画素を一つずつ順番に信号強度をチェックする場合には、多大な時間がかかってしまう。一方、時間短縮のために複数の画素のかたまりとして信号を粗くチェックする場合には、人が見たときに黒すじあるいはごみと感じるもの全てを自動的に検出することは困難となる。
【０００６】
本発明は、上述した背景からなされたものであり、すじが発生した位置をユーザの判断で短時間に確定させることができる画像処理装置を提供することを目的とする。
【課題を解決するための手段】
【０００７】
上記目的を達成するために、本発明に係る画像処理装置は、すじ位置を特定するための可視データが付された出力画像に基づいてすじ位置を指定する指定手段と、前記すじ指定手段により指定されたすじ位置においてすじ補正を行うすじ補正手段とを有する。
【０００８】
好適には、前記指定手段は、すじ位置を受け付けてすじ位置を指定する。
好適には、前記指定手段は、出力画像を読み取ってすじ位置を指定する。
好適には、前記指定手段は、読み取られた画像において所定のパターンに基づいてすじ位置を解析する。
【０００９】
好適には、前記可視データは、格子パターンである。
好適には、前記可視データは、格子パターンを識別する識別子を含む。
好適には、前記可視データは、色分けされた格子パターンである。
また、好適には、すじ位置を特定するための可視データが付された出力画像を表示する表示手段をさらに有する。
【００１０】
また、本発明に係る画像処理方法は、すじ位置を特定するための可視データが付された出力画像に基づいてすじ位置を指定し、前記指定されたすじ位置においてすじ補正を行う。
【００１１】
さらに、本発明に係るプログラムは、コンピュータを含む画像処理装置において、すじ位置を特定するための可視データが付された出力画像に基づいてすじ位置を指定する指定ステップと、前記指定されたすじ位置においてすじ補正を行うすじ補正ステップとを前記画像処理装置のコンピュータに実行させる。
【発明の効果】
【００１２】
本発明に係る画像処理装置によれば、すじが発生した位置をユーザの判断で短時間に確定させることができる。
【発明を実施するための最良の形態】
【００１３】
図１は、タンデム型の画像形成装置１０の構成を示す図である。
図１に示すように、画像形成装置１０は、画像読取ユニット１２、画像形成ユニット１４、中間転写ベルト１６、用紙トレイ１７、用紙搬送路１８、定着器１９、画像処理装置２０、像形成制御装置２１及びユーザインターフェイス（ＵＩ）装置２２を有する。この画像形成装置１０は、パーソナルコンピュータ（不図示）などから受信した画像データを印刷するプリンタ機能に加えて、画像読取ユニット１２を用いたフルカラー複写機としての機能、及び、ファクシミリとしての機能を兼ね備えた複合機であってもよい。また、画像形成装置１０は、タンデム型に限られず、例えばロータリー型のプリンタであってもよい。
【００１４】
まず、画像形成装置１０の概略を説明すると、画像形成装置１０の上部には、画像読取ユニット１２、画像処理装置２０及び像形成制御装置２１が配設されている。画像読取ユニット１２は、原稿３０に表示された画像を読み取って、画像処理装置２０に対して出力する。画像処理装置２０は、画像読取ユニット１２から入力された画像データ、又は、ＬＡＮなどのネットワーク回線を介してパーソナルコンピュータ等から入力された画像データに対して、後述する色変換処理及び補正処理など画像処理を施し、像形成制御装置２１に対して出力する。像形成制御装置２１は、画像処理を施された画像データに基づいて、画像形成ユニット１４を制御する。なお、像形成制御装置２１は、画像処理装置２０の一部として、画像処理装置２０に含まれてもよい。
【００１５】
画像形成装置１０の上面には、例えばタッチパネルなどのＵＩ装置２２（表示手段）が設けられている。ＵＩ装置２２は、画像形成装置１０の制御情報や指示情報などを表示すると共に、指示情報などのユーザによる入力を受入れる。即ち、ユーザは、ＵＩ装置２２を介して画像形成装置１０を操作することができる。なお、ＵＩ装置２２は、スイッチなどの入力のみを受入れるものであってもよいし、表示などの出力のみを行うものであってもよく、これらを組合わせたものであってもよい。
【００１６】
画像読取ユニット１２の下方には、カラー画像を構成する色に対応して、複数の画像形成ユニット１４が配設されている。本例では、黒（Ｋ）、イエロー（Ｙ）、マゼンタ（Ｍ）、シアン（Ｃ）の各色に対応して第１の画像形成ユニット１４Ｋ、第２の画像形成ユニット１４Ｙ、第３の画像形成ユニット１４Ｍ及び第４の画像形成ユニット１４Ｃが、中間転写ベルト１６に沿って一定の間隔を空けて水平に配列されている。中間転写ベルト１６は、中間転写体として図中矢印Ａの方向に回動し、これら４つの画像形成ユニット１４Ｋ、１４Ｙ、１４Ｍ、１４Ｃは、画像処理装置２０から入力された画像データに基づいて各色のトナー像を順次形成し、これら複数のトナー像が互いに重ね合わせられるタイミングで中間転写ベルト１６に転写（一次転写）する。なお、各画像形成ユニット１４Ｋ、１４Ｙ、１４Ｍ、１４Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００１７】
用紙搬送路１８は、中間転写ベルト１６の下方に配設されている。用紙トレイ１７から供給された記録用紙３２は、この用紙搬送路１８上を搬送され、上記中間転写ベルト１６上に多重に転写された各色のトナー像が一括して転写（二次転写）され、転写されたトナー像が定着器１９によって定着され、矢印Ｂに沿って外部に排出される。
【００１８】
次に、画像形成装置１０の各構成についてより詳細に説明する。
図１に示すように、画像読取ユニット１２は、原稿３０を載せるプラテンガラス１２４と、この原稿３０をプラテンガラス１２４上に押圧するプラテンカバー１２２と、プラテンガラス１２４上に載置された原稿３０の画像を読み取る画像読取部１３０とを有する。この画像読取部１３０は、プラテンガラス１２４上に載置された原稿３０を光源１３２によって照明し、原稿３０からの反射光像を、フルレートミラー１３４、第１のハーフレートミラー１３５、第２のハーフレートミラー１３６及び結像レンズ１３７からなる縮小光学系を介して、ＣＣＤ等からなる画像読取素子１３８上に走査露光して、この画像読取素子１３８によって原稿３０の色材反射光像を所定のドット密度（例えば、１６ドット／ｍｍ）で読み取るように構成されている。
【００１９】
画像処理装置２０は、画像読取ユニット１２により読み取られた画像データ、又はネットワーク回線を介して入力された画像データに対して、色変換等の所定の画像処理を施す。なお、画像読取ユニット１２により読み取られた原稿３０の色材反射光像は、例えば、赤（Ｒ）、緑（Ｇ）、青（Ｂ）の３色の原稿反射率データであり、画像処理装置２０による画像処理によって、イエロー（Ｙ）、マゼンタ（Ｍ）、シアン（Ｃ）、黒（Ｋ）の４色の原稿色材階調データに変換される。
【００２０】
像形成制御装置２１は、画像処理装置２０から入力された画像データ（ＹＭＣＫ）に応じて、パルス信号を発生させ、光走査装置１４０に対して出力する。より具体的には、像形成制御装置２１は、画像データ（ＹＭＣＫ）に基づいて、後述する第１の光走査装置１４０Ｋ、第２の光走査装置１４０Ｙ、第３の光走査装置１４０Ｍ及び第４の光走査装置１４０Ｃに対して、パルス信号を出力し、画像を形成する。
【００２１】
第１の画像形成ユニット１４Ｋ、第２の画像形成ユニット１４Ｙ、第３の画像形成ユニット１４Ｍ及び第４の画像形成ユニット１４Ｃは、水平方向に一定の間隔をおいて並列的に配置され、形成する画像の色が異なる他は、ほぼ同様に構成されている。そこで、以下、第１の画像形成ユニット１４Ｋについて説明する。なお、各画像形成ユニット１４の構成は、Ｋ、Ｙ、Ｍ又はＣを付すことにより区別する。
画像形成ユニット１４Ｋは、画像処理装置２０から入力された画像データに応じてレーザ光を走査する光走査装置１４０Ｋと、この光走査装置１４０Ｋにより走査されたレーザ光により静電潜像が形成される像形成装置１５０Ｋとを有する。
【００２２】
光走査装置１４０Ｋは、半導体レーザ１４２Ｋを黒色（Ｋ）の画像データに応じて変調して、この半導体レーザ１４２Ｋからレーザ光ＬＢ（Ｋ）を画像データに応じて出射する。この半導体レーザ１４２Ｋから出射されたレーザ光ＬＢ（Ｋ）は、第１の反射ミラー１４３Ｋ及び第２の反射ミラー１４４Ｋを介して回転多面鏡１４６Ｋに照射され、この回転多面鏡１４６Ｋよって偏向走査され、第２の反射ミラー１４４Ｋ、第３の反射ミラー１４８Ｋ及び第４の反射ミラー１４９Ｋを介して、像形成装置１５０Ｋの感光体ドラム１５２Ｋ上に照射される。
【００２３】
像形成装置１５０Ｋは、矢印Ａの方向に沿って所定の回転速度で回転する像担持体としての感光体ドラム１５２Ｋと、この感光体ドラム１５２Ｋの表面を一様に帯電する帯電手段としての一次帯電用のスコロトロン１５４Ｋと、感光体ドラム１５４Ｋ上に形成された静電潜像を現像する現像器１５６Ｋと、クリーニング装置１５８Ｋとから構成されている。感光体ドラム１５２Ｋは、スコロトロン１５４Ｋにより一様に帯電され、光走査装置１４０Ｋにより照射されたレーザ光ＬＢ（Ｋ）により静電潜像を形成される。感光体ドラム１５２Ｋに形成された静電潜像は、現像器１５６Ｋにより黒色（Ｋ）のトナーで現像され、中間転写ベルト１６に転写される。なお、トナー像の転写工程の後に感光体ドラム１５２Ｋに付着している残留トナー及び紙粉等は、クリーニング装置１５８Ｋによって除去される。
他の画像形成ユニット１４Ｙ、１４Ｍ及び１４Ｃも、上記と同様に、イエロー（Ｙ）、マゼンタ（Ｍ）、シアン（Ｃ）の各色のトナー像を形成し、形成された各色のトナー像を中間転写ベルト１６に転写する。
【００２４】
中間転写ベルト１６は、ドライブロール１６４と、第１のアイドルロール１６５と、ステアリングロール１６６と、第２のアイドルロール１６７と、バックアップロール１６８と、第３のアイドルロール１６９との間に一定のテンションで掛け回されており、駆動モータ（不図示）によってドライブロール１６４が回転駆動されることにより、矢印Ａの方向に所定の速度で循環駆動される。この中間転写ベルト１６は、例えば、可撓性を有するポリイミド等の合成樹脂フィルムを帯状に形成し、この帯状に形成された合成樹脂フィルムの両端を溶着等によって接続することにより無端ベルト状に形成されたものである。
【００２５】
また、中間転写ベルト１６には、各画像形成ユニット１４Ｋ、１４Ｙ、１４Ｍ、１４Ｃに対向する位置にそれぞれ第１の一次転写ロール１６２Ｋ、第２の一次転写ロール１６２Ｙ、第３の一次転写ロール１６２Ｍ及び第４の一次転写ロール１６２Ｃが配設され、感光体ドラム１５２Ｋ、１５２Ｙ、１５２Ｍ、１５２Ｃ上に形成された各色のトナー像は、これらの一次転写ロール１６２により中間転写ベルト１６上に多重に転写される。なお、中間転写ベルト１６に付着した残留トナーは、二次転写位置の下流に設けられたベルト用クリーニング装置１８９のクリーニングブレード又はブラシにより除去される。
【００２６】
用紙搬送路１８には、用紙トレイ１７から記録用紙３２を取り出す給紙ローラ１８０と、用紙搬送用の第１のローラ対１８１、第２のローラ対１８２及び第３のローラ対１８３と、記録用紙３２を既定のタイミングで二次転写位置に搬送するレジストロール１８４とが配設される。
また、用紙搬送路１８上の二次転写位置には、バックアップロール１６８に圧接する二次転写ロール１８５が配設されており、中間転写ベルト１６上に多重に転写された各色のトナー像は、この二次転写ロール１８５による圧接力及び静電気力で記録用紙３２上に二次転写される。各色のトナー像が転写された記録用紙３２は、第１の搬送ベルト１８６及び第２の搬送ベルト１８７によって定着器１９へと搬送される。
定着器１９は、上記各色のトナー像が転写された記録用紙３２に対して加熱処理及び加圧処理を施すことにより、トナーを記録用紙３２に溶融固着させる。
【００２７】
図２は、本発明に係る画像処理装置２０の機能構成を示すブロック図である。
図２に示すように、画像処理装置２０は、入力画像受付部２００、色空間変換部２０２、補正部２０４、格子合成部２０６、データ出力部２０８、画像記憶部２１８及びすじ位置指定部２２０（指定手段）を有する。また、補正部２０４はすじ補正部２１０を有し、すじ位置指定部２２０は、すじ位置受付部２１２、位置指定画像受付部２１４及びすじ位置解析部２１６を有する。
画像処理装置２０に含まれる上記各構成は、ＣＰＵ、メモリ及びプログラムなどによりソフトウェア的に実現されてもよいし、ＡＳＩＣなどによりハードウェア的に実現されてもよい。また、画像処理装置２０は、画像形成装置１０のみでなく、例えばパーソナルコンピュータなどに含まれてもよい。
【００２８】
画像処理装置２０において、入力画像受付部２００は、図１に示された画像読取ユニット１２又はユーザのパーソナルコンピュータから、入力画像を受け付け、色空間変換部２０２に対して出力する。入力画像データは、例えば、ＲＧＢ各８ｂｉｔで表現されており、ｓＲＧＢ空間に属する画像である。
【００２９】
色空間変換部２０２は、プロファイル等に従って、入力画像（ＲＧＢ）をデバイスに依存しない色空間であるＣＩＥＬＡＢ（Ｌ＊，ａ＊，ｂ＊）色空間（又はＣＩＥＸＹＺ）に変換する。さらに、色空間変換部２０２は、プロファイル等に従って、変換されたＣＩＥＬＡＢ色空間の画像データを印刷処理に適した表色系のＹＭＣＫ色空間の画像データに変換して、補正部２０４に対して出力する。ここで、プロファイルは、画像の色再現特性を示す情報であり、例えば、ＩＣＣプロファイルである。なお、色空間変換部２０２は、色変換テーブルを用いて、ＲＧＢ色空間の入力画像をＹＭＣＫ色空間の画像データに変換してもよい。
【００３０】
補正部２０４は、入力された画像データを画像記憶部２１８に格納し、印刷処理に適合した階調に補正し、格子合成部２０６に対して出力する。また、補正部２０４は、すじ補正処理が受け付けられた場合には、画像記憶部２１８から対象となる画像を取り出し、すじ補正部２１０にすじ補正処理を行わせる。この場合には、補正部２０４は、すじ補正処理後の画像データを、データ出力部２０８に対して出力する。なお、すじ補正部２１０によるすじ補正処理については、後で詳述する。
【００３１】
画像記憶部２１８は、補正部２０４が色空間変換部２０２から受け付けた画像データを記憶する。画像記憶部２１８は、ハードディスクドライブ等の記録装置、又はメモリ（不図示）により実現される。
【００３２】
格子合成部２０６は、補正部２０４から入力された画像データに格子パターン（可視データ）を合成して、データ出力部２０８に対して出力する。格子合成部２０６は、例えば、５×５画素の格子パターンを画像全体に合成する。好適には、格子合成部２０６は、格子パターンそれぞれを識別する識別子を画像にさらに合成する。例えば、画像の縦軸は、Ａ、Ｂ、Ｃ等アルファベットにより識別されるように識別子が合成され、横軸は、１、２、３等数字により識別されるように識別子が合成される。このため、格子パターンは、例えばＣ−３のように、一意に識別される。
【００３３】
また、好適には、格子合成部２０６は、色分けされた格子パターンを画像に構成する。例えば、格子合成部２０６は、Ｂ列、Ｄ列、Ｆ列のように一列おきに列を色分けし、５行目、１０行目、１５行目のように５行おきに行を色分けする。格子合成部２０６は、このような位置の格子パターンに所定の模様を入れてもよい。
なお、格子合成部２０６により合成される格子パターンは、後で詳述する。
【００３４】
画像処理装置２０がすじ補正処理の要求を受け付けていない場合には、格子合成部２０６は、格子パターンを合成せずに、補正部２０４から入力された画像データをそのままデータ出力部２０８に対して出力してもよい。
【００３５】
データ出力部２０８は、格子合成部２０６から入力されたＹＭＣＫ色空間の画像データを、像形成制御装置２１に対して出力する。また、データ出力部２０８は、合成された格子パターン又は格子パターンを合成された画像データを、ＵＩ装置２２又は外部のパーソナルコンピュータの表示装置に表示させてもよい。さらに、データ出力部２０８は、画像データ蓄積のためのメモリ又はＨＤＤ等の記録装置に対して、入力された画像データを出力してもよい。
【００３６】
すじ位置指定部２２０は、すじ位置を特定するための格子パターン（可視データ）が付された出力画像に基づいてすじ位置を指定し、この指定されたすじ位置をすじ補正部２１０に対して出力する。
【００３７】
すじ位置指定部２２０において、すじ位置受付部２１２は、ＵＩ装置２２又は外部のパーソナルコンピュータを介して、すじ位置を受け付ける。すじ位置受付部２１２は、受け付けられたすじ位置を、補正部２０４のすじ補正部２１０に対して出力する。すじ位置受付部２１２は、格子パターンを識別する識別子、又は所定の範囲の格子パターンを示す複数の識別子を受け入れてもよいし、ＵＩ装置２２又は外部のパーソナルコンピュータのマウス等による入力装置により入力される範囲を受け入れてもよい。
【００３８】
位置指定画像受付部２１４は、画像読取ユニット１２又は外部のスキャナ（不図示）を介して読み取られた位置指定画像データを受け付けて、すじ位置解析部２１６に対して出力する。なお、位置指定画像については、後で詳述する。
【００３９】
すじ位置解析部２１６は、位置指定画像受付部２１４から入力された位置指定画像において所定のパターンに基づいてすじ位置を解析し、すじ位置を指定して、補正部２０４のすじ補正部２１０に対して出力する。具体的には、すじ位置解析部２１６は、位置指定画像データに含まれる所定のパターンを、例えばパターンマッチングにより特定し、２つの所定パターンで示される画像部分をすじ位置とする。所定のパターンは、例えば◎印である。
【００４０】
すじ補正部２１０は、すじ位置が指定された場合に、補正部２０４の制御により、すじ位置においてすじ補正処理を行う。より具体的には、すじ補正部２１０は、画像記憶部２１８に記憶されている画像データを抽出し、すじ位置の周辺画素に基づいて、すじ位置の画素値に対して平滑化処理を施す。例えば、すじ補正部２１０は、すじ位置として指定された画素とこの画素の８つの周辺画素とを含む周辺領域に対して平滑化処理を施す。
【００４１】
図３は、画像処理装置２０の格子合成部２０６により合成される格子パターン（可視データ）を例示する図である。
図３に例示するように、格子パターンは画像全体に合成され、それぞれの格子パターンは、アルファベット及び数字の組み合わせにより一意に識別される。ユーザは、アルファベット及び数字を用いて、１つ以上の格子パターンをすじ位置として指定することができる。
【００４２】
図４は、画像処理装置２０の格子合成部２０６により合成される色分けされた格子パターンを例示する図である。
図４に例示するように、格子パターンは、所定の列及び行ごとに色分けされて、画像データに合成される。ユーザは、色分けされている格子パターンにより、すじ位置を容易に判別することができる。
【００４３】
図５は、位置指定画像受付部２１４により受け付けられた位置指定画像を例示する図である。
図５に例示するように、すじ位置は、２つの所定のパターン（◎印）により特定される。ユーザは、すじの一端の右側に◎印を付け、すじの他端の左側にもう一つの◎印を付け、この画像を画像読取ユニット１２又は外部のスキャナに読み取らせることにより、すじ位置を指定することができる。所定のパターンは、ペンにより書かれてもよいし、シールを付されることにより指定されてもよい。
【００４４】
図６は、本発明に係る画像処理装置２０の動作（Ｓ１０）を示すフローチャートである。
図６に示すように、ステップ１００（Ｓ１００）において、ユーザは、パーソナルコンピュータ又は画像読取ユニット１２を介して印刷要求を行う。入力画像受付部２００は、入力画像データが入力されると、この入力画像データをネットワーク又は画像読取ユニット１２を介して取得し、受け付けられた画像データ（例えばＲＧＢ各８ビット）を、色空間変換部２０２に対して出力する。
【００４５】
ステップ１０２（Ｓ１０２）において、色空間変換部２０２は、画素データ（ＲＧＢ）に対して色変換処理を行い、印刷処理に適した表色系の画像データ（ＹＭＣＫ）に色変換して、補正部２０４に対して出力する。
ステップ１０４（Ｓ１０４）において、補正部２０４は、色空間変換部２０２から入力された画像データを画像記憶部２１８に格納し、階調・濃度等の所定の色補正処理を施して、格子合成部２０６に対して出力する。
【００４６】
ステップ１０６（Ｓ１０６）において、格子合成部２０６は、補正部２０４から入力された画像データに所定の格子パターンを合成して、データ出力部２０８に対して出力する。
ステップ１０８（Ｓ１０８）において、データ出力部２０８は、格子合成部２０６から入力された格子合成後の画像データを、像形成制御装置２１に対して出力する。像形成制御装置２１は、この画像データに基づいて、画像形成ユニット１４を制御して、記録用紙上に画像を形成する。
【００４７】
ユーザは、記録用紙上に形成された画像を確認し、すじが発生している場合には、すじの位置を判断する。ユーザは、ＵＩ装置２２を介してすじ位置を指定するか、又は所定のパターンを記録用紙に記入して画像読取ユニット１２等に読み取らせる。
ステップ１１０（Ｓ１１０）において、画像処理装置２０は、すじ位置指定部２２０のすじ位置受付部２１２がＵＩ装置２２を介してすじ位置を受け付けたか、又は位置指定画像受付部２１４が画像読取ユニット１２等を介して読み取られた位置指定画像を受け付けたかを判定する。画像処理装置２０は、これらのいずれも受け付けなかった場合には処理を終了し、少なくともいずれか一方を受け付けた場合には、Ｓ１１２の処理に進む。
【００４８】
ステップ１１２（Ｓ１１２）において、画像処理装置２０は、すじ位置がすじ位置受付部２１２から受け付けられたのか、又は位置指定画像が位置指定画像受付部２１４から受け付けられたのかを判定する。すじ位置がすじ位置受付部２１２から受け付けられた場合には、すじ位置受付部２１２がすじ位置をすじ補正部２１０に対して出力し、Ｓ１１６の処理に進む。位置指定画像が位置指定画像受付部２１４から受け付けられた場合には、位置指定画像受付部２１４が読み取られた位置指定画像をすじ位置解析部２１６に対して出力し、Ｓ１１４の処理に進む。
【００４９】
ステップ１１４（Ｓ１１４）において、すじ位置解析部２１６は、位置指定画像受付部２１４から入力された位置指定画像（読取画像）に対してパターンパッチング処理を施し、画像に含まれる◎印の位置を特定し、特定された位置をすじ位置として、すじ補正部２１０に対して出力する。
【００５０】
ステップ１１６（Ｓ１１６）において、すじ補正部２１０は、画像記憶部２１８に記憶されている画像データを抽出し、指定されたすじ位置の周辺画素に基づいて、すじ位置の画素それぞれに対して平滑化処理を施す。すじ補正部２１０は、平滑化処理後の画像データをデータ出力部２０８に対して出力する。データ出力部２０８は、すじ補正された後の画像データを、像形成制御装置２１に対して出力する。
【００５１】
以上説明したように、本発明の画像処理装置２０は、すじ位置を特定するための可視データ（格子パターン）が付された出力画像に基づいてすじ位置を指定し、この指定されたすじ位置においてすじ補正を行うので、すじが発生した位置をユーザの判断で短時間に確定させることができる。画像処理装置２０は、読み取られた画像を受け付け、この読取画像からすじ位置を解析し、解析されたすじ位置においてすじ補正を行うので、ユーザは、すじ位置をペンあるいはシールにより容易に指定することができる。さらに、画像処理装置２０は、入力画像に格子パターンを合成して出力するので、ユーザはすじ位置を容易に特定することができる。
【図面の簡単な説明】
【００５２】
【図１】画像形成装置１０の構成を示す図である。
【図２】本発明に係る画像処理装置２０の機能構成を示すブロック図である。
【図３】画像処理装置２０の格子合成部２０６により合成される格子パターンを例示する図である。
【図４】画像処理装置２０の格子合成部２０６により合成される色分けされた格子パターンを例示する図である。
【図５】位置指定画像受付部２１４により受け付けられた位置指定画像を例示する図である。
【図６】本発明に係る画像処理装置２０の動作（Ｓ１０）を示すフローチャートである。
【符号の説明】
【００５３】
１０ 画像形成装置
１２ 画像読取ユニット
１４ 画像形成ユニット
２０ 画像処理装置
２１ 像形成制御装置
２２ ＵＩ装置
３２ 記録用紙
２００ 入力画像受付部
２０２ 色空間変換部
２０４ 補正部
２０６ 格子合成部
２０８ データ出力部
２１０ すじ補正部
２１２ すじ位置受付部
２１４ 位置指定画像受付部
２１６ すじ位置解析部
２１８ 画像記憶部
【図１】
2007028396.tif 000003
【図２】
2007028396.tif 000004
【図３】
2007028396.tif 000005
【図４】
2007028396.tif 000006
【図５】
2007028396.tif 000007
【図６】
2007028396.tif 000008